(57)【要約】      （修正有）【課題】投射画像を種々のアスペクト比で切り替えて投影することができ、しかも同一の投射装置で複数の投射画像を同時に投射することができ、より利用範囲の広い機能を有した装置全体が小型な画像投射装置を得ること。【解決手段】原画を表示する画像表示素子と、光軸を回転軸として回動可能なアナモフィック光学素子を含み、前記原画を投射する投射光学系と、表示モードを入力する入力手段と、前記入力された表示モードに基づいて、前記アナモフィック光学素子の該画像表示素子に対する相対的位置を第１の位置と第２の位置とで切り換える切り換え手段とを有する。前記表示モードが複数の画像を並べて表示するモードである場合には、前記アナモフィック光学素子と前記画像表示素子との相対位置を前記第１の位置とし、前記表示モードが１つの画像のみを表示するモードである場合には、前記相対位置を前記第２の位置とする制御手段を備える。【選択図】図１
2008046291.tif 000002
【特許請求の範囲】
【請求項１】
原画を表示する画像表示素子と、
光軸を回転軸として回動可能なアナモフィック光学素子を含み、前記原画を投射する投射光学系と、
表示モードを入力する入力手段と、
前記入力された表示モードに基づいて、前記アナモフィック光学素子の該画像表示素子に対する相対的位置を第１の位置と第２の位置とで切り換える切り換え手段とを有する画像投射装置であって、
前記表示モードが複数の画像を並べて表示するモードである場合には、前記アナモフィック光学素子と前記画像表示素子との相対位置を前記第１の位置とし、前記表示モードが１つの画像のみを表示するモードである場合には、前記アナモフィック光学素子と前記画像表示素子との相対位置を前記第２の位置とする制御手段を備えることを特徴とする画像投射装置。
【請求項２】
前記投射光学系は、投射画像の一方向の長さと、該一方向に直交する他方向の長さの比をＡＳＲとするとき、
２≦ＡＳＲ
なる条件で投射する投射モードを有していることを特徴とする請求項１の画像投射装置。
【請求項３】
原画を表示する画像表示素子と、
光軸を回転軸として回動可能なアナモフィック光学素子を含み、前記原画を投射する投射光学系と、
表示モードを入力する入力手段と、
前記入力された表示モードに基づいて、前記アナモフィック光学素子の該画像表示素子に対する相対的位置を第１の位置と第２の位置とで切り換える切り換え手段とを有する画像投射装置であって、
前記表示モードが複数の画像を並べて表示するモードである場合には、前記アナモフィック光学素子と前記画像表示素子との相対位置を前記第１の位置とし、前記表示モードが１つの画像のみを表示するモードである場合には、前記アナモフィック光学素子と前記画像表示素子との相対位置を前記第２の位置とする制御手段とを有し、該制御手段は、該投射光学系が画像情報をアスペクト比が２以上で投射するとき、該信号処理手段が画像表示素子の表示領域の複数領域に互いに異なった画像情報を表示するように制御することを特徴とする画像投射装置。
【請求項４】
画像情報を表示する画像表示素子と、
光軸を回転軸とする回動可能なアナモフィック光学素子を含み、該画像表示素子に表示した画像情報を異なったアスペクト比で投射する機能を有する投射光学系と、該画像表示素子に表示する画像情報の表示モードを制御する信号処理手段と、該画像表示素子に表示する画像情報の表示モードを入力する入力手段と、該入力手段からの入力された表示モード情報に基づいて、該アナモフィック光学素子の該画像表示素子に対する相対的位置の制御と、該信号処理手段が画像表示素子に表示する画像情報の表示モードを制御する制御手段とを有した画像投射装置であって、該信号処理手段は、該制御手段からの信号に基づいて画像表示素子の表示領域の複数領域に互いに異なった画像情報を表示するようにしていること、
を特徴とする画像投射装置。
【請求項５】
前記投射光学系は、投射画像の一方向の長さと、該一方向に直交する他方向の長さの比をＡＳＲとするとき、
２≦ＡＳＲ
なる条件で投射する投射モードを有していることを特徴とする請求項４の画像投射装置。
【請求項６】
画像情報を表示する画像表示素子と、
光軸を回転軸とする回動可能なアナモフィック光学素子を含み、該画像表示素子に表示した画像情報を異なったアスペクト比で投射する機能を有する投射光学系と、該画像表示素子に表示する画像情報の表示モードを制御する信号処理手段と、該画像表示素子に表示する画像情報の表示モードを入力する入力手段と、該入力手段からの入力された表示モード情報に基づいて、該アナモフィック光学素子の該画像表示素子に対する相対的位置の制御と、該信号処理手段が画像表示素子に表示する画像情報の表示モードを制御する制御手段とを有した画像投射装置であって、
該制御手段は、該投射光学系が画像情報をアスペクト比が２以上で投射するとき、該信号処理手段が画像表示素子の表示領域の複数領域に互いに異なった画像情報を表示するように制御することを特徴とする画像投射装置。
【発明の詳細な説明】
【技術分野】
【０００１】
本発明は、液晶等の画像表示素子に表示された画像情報をスクリーン上にアスペクト比（画面の横／縦比）を種々と変えて投射する際に如適な画像投射装置に関するものである。
【背景技術】
【０００２】
液晶等の画像表示素子に形成される画像情報を、投射光学系によってスクリーン上に拡大投射する画像投射装置が知られている。このとき、スクリーン上に投射される投射画像のアスペクト比を種々と変えて投射する画像投射装置が知られている。（特許文献１）。
【０００３】
特許文献１では、投射光学系の一部にアナモフィックレンズを設け、縦方向と横方向の投射倍率が異なるようにして画像を投射している。
【０００４】
又、特許文献１では、投射光学系の中にシリンダーレンズからなるアナモフィックレンズを用い、アナモフィックレンズを投射光学系の光軸に対して９０度回転させている。これにより縦と横方向の投射倍率を切り替え、アスペクト比４：３の投射画像とアスペクト比１６：９の投射画像を切り替えて投射するようにしている。
【特許文献１】特開平０８−２５３２４２  号公報
【発明の開示】
【発明が解決しようとする課題】
【０００５】
従来、アスペクト比の異なる画像を投射することができる画像投射装置は、投射画像のアスペクト比を切り替えた作用しか持っていない。即ち、入力信号のフォーマットを画像表示素子に無駄なく全て表示できるようにして投射するだけであった。
【０００６】
最近、画像投射装置に対しては、投射画像のアスペクト比の切り替えが出来る他、１つの投射画像ばかりでなく、複数の投射画像を同時にスクリーン上に投射できること等が要望されている。
【０００７】
このため、複数の画像投射装置を用いて、異なった複数の画像情報を同時にスクリーン上に投射することが行われていた。
【０００８】
しかしながら、この方法は、投射システムが大型化及び高重量化し、操作しずらくなるという問題があった。
【０００９】
本発明は、投射画像を種々のアスペクト比で切り替えて投影することができ、しかも同一の投射装置で複数の投射画像を同時に投射することができ、より利用範囲の広い機能を有した装置全体が小型な画像投射装置の提供を目的とする。
【課題を解決するための手段】
【００１０】
本発明の画像投射装置は、
原画を表示する画像表示素子と、
光軸を回転軸として回動可能なアナモフィック光学素子を含み、前記原画を投射する投射光学系と、
表示モードを入力する入力手段と、
前記入力された表示モードに基づいて、前記アナモフィック光学素子の該画像表示素子に対する相対的位置を第１の位置と第２の位置とで切り換える切り換え手段とを有する画像投射装置であって、
前記表示モードが複数の画像を並べて表示するモードである場合には、前記アナモフィック光学素子と前記画像表示素子との相対位置を前記第１の位置とし、前記表示モードが１つの画像のみを表示するモードである場合には、前記アナモフィック光学素子と前記画像表示素子との相対位置を前記第２の位置とする制御手段を備えることを特徴としている。
【００１１】
この他本発明の画像投射装置は、
原画を表示する画像表示素子と、
光軸を回転軸として回動可能なアナモフィック光学素子を含み、前記原画を投射する投射光学系と、
表示モードを入力する入力手段と、
前記入力された表示モードに基づいて、前記アナモフィック光学素子の該画像表示素子に対する相対的位置を第１の位置と第２の位置とで切り換える切り換え手段とを有する画像投射装置であって、
前記表示モードが複数の画像を並べて表示するモードである場合には、前記アナモフィック光学素子と前記画像表示素子との相対位置を前記第１の位置とし、前記表示モードが１つの画像のみを表示するモードである場合には、前記アナモフィック光学素子と前記画像表示素子との相対位置を前記第２の位置とする制御手段とを有し、該制御手段は、該投射光学系が画像情報をアスペクト比が２以上で投射するとき、該信号処理手段が画像表示素子の表示領域の複数領域に互いに異なった画像情報を表示するように制御することを特徴としている。
【００１２】
この他本発明の画像投射装置は、
画像情報を表示する画像表示素子と、
光軸を回転軸とする回動可能なアナモフィック光学素子を含み、該画像表示素子に表示した画像情報を異なったアスペクト比で投射する機能を有する投射光学系と、該画像表示素子に表示する画像情報の表示モードを制御する信号処理手段と、該画像表示素子に表示する画像情報の表示モードを入力する入力手段と、該入力手段からの入力された表示モード情報に基づいて、該アナモフィック光学素子の該画像表示素子に対する相対的位置の制御と、該信号処理手段が画像表示素子に表示する画像情報の表示モードを制御する制御手段とを有した画像投射装置であって、該信号処理手段は、該制御手段からの信号に基づいて画像表示素子の表示領域の複数領域に互いに異なった画像情報を表示するようにしていること、
を特徴としている。
【００１３】
この他本発明の画像投射装置は、
画像情報を表示する画像表示素子と、
光軸を回転軸とする回動可能なアナモフィック光学素子を含み、該画像表示素子に表示した画像情報を異なったアスペクト比で投射する機能を有する投射光学系と、該画像表示素子に表示する画像情報の表示モードを制御する信号処理手段と、該画像表示素子に表示する画像情報の表示モードを入力する入力手段と、該入力手段からの入力された表示モード情報に基づいて、該アナモフィック光学素子の該画像表示素子に対する相対的位置の制御と、該信号処理手段が画像表示素子に表示する画像情報の表示モードを制御する制御手段とを有した画像投射装置であって、
該制御手段は、該投射光学系が画像情報をアスペクト比が２以上で投射するとき、該信号処理手段が画像表示素子の表示領域の複数領域に互いに異なった画像情報を表示するように制御することを特徴としている。
【発明の効果】
【００１４】
本発明によれば、
本発明は、投射画像を種々のアスペクト比で切り替えて投影することができ、しかも同一の投射装置で複数の投射画像を同時に投射することができ、より利用範囲の広い機能を有した装置全体が小型な画像投射装置が得られる。
【発明を実施するための最良の形態】
【００１５】
【実施例１】
【００１６】
図１は、本発明の実施例１の要部ブロック図である。
【００１７】
図１においては、１は、液晶等の画像表示素子である。２は、投射光学系であり、画像表示手段１に表示した画像情報（原画）を、スクリーンＳ上に異なったアスペクト比で投射するアナモフィック光学素子（アナモフィック群）２ａを含んでいる。
【００１８】
アナモフィック光学素子２ａは、水平方向(紙面に垂直方向)と垂直方向（紙面内方向）で屈折力が異なり、画像表示素子１に表示された画像情報をスクリーンＳ上にアスペクト比を変えて（即ち投射モードを変えて）投射するために用いている。
【００１９】
アナモフィック光学素子２ａは、投射光学系２の光軸２ｂを回転軸として回動可能に設けられている。アナモフィック光学素子２ａの回動位置によって、スクリーンＳ上に投射される投射画像のアスペクト比(投射モード)を変えている。
【００２０】
３は、駆動手段(切り換え手段)であり、アナモフィック光学素子２ａを回動して画像表示素子１に対する位置を変えている。
【００２１】
即ち、駆動手段３は、入力された表示モードに基づいて、アナモフィック光学素子２ａの画像表示素子１に対する相対的位置を第１の位置と第２の位置とで切り換えている。
【００２２】
４は、信号処理手段であり、制御手段５からの信号に基づいて、画像情報発生手段６から送られてくる画像情報を処理し（例えば画像の圧縮処理等）、画像表示素子１に表示する画像情報の表示モードを制御している。
【００２３】
ここで表示モードとは以下のものを含む。一つ目は、画像投射装置に入力された画像信号のうちどの画像信号に基づく画像（１つでもあっても良いし、複数であっても構わない）を投射するか、すなわち投射する画像の組み合せである。二つ目は、その画像を投射する際の全体の画像のアスペクト比（縦横比）、或いはそれに代わる情報を含む。例えば、縦：横＝３：４や、縦：横＝９：１６と言う情報であれば良い。
【００２４】
画像情報発生手段６は、画像表示素子１に表示する画像情報を種々と作成し、例えばＩｎｐｕｔ１、Ｉｎｐｕｔ２の画像情報として信号処理手段４に入力している。
【００２５】
７は入力手段であり、観察者が画像表示素子１に表示する画像情報、即ち、スクリーン２に表示する画像情報を入力する。
【００２６】
５は、制御手段であり、入力手段７からの入力信号によって、スクリーン２に投射される画像情報を制御している。例えば、入力手段７からの入力情報に基づいて、アナモフィック光学素子２ａの配置形態を特定するとともに信号処理手段４が画像表示素子１に表示する画像情報の種類を制御している。
【００２７】
その他、制御手段５は、表示モードが複数の画像を並べて表示するモードである場合には、アナモフィック光学素子と画像表示素子との相対位置を第１の位置とし、表示モードが１つの画像のみを表示するモードである場合には、アナモフィック光学素子と画像表示素子との相対位置を前記第２の位置とする。
【００２８】
図２から図５は、本発明の画像投射装置に用いられる投射光学系（投射レンズ）２の実施例１の要部該略図である。
【００２９】
実施例１の投射光学系２は主たるパワー（屈折力）を有する軸対称レンズからなるレンズ群２Ｃと、直交する２つの方向（水平方向と垂直方向）で異なるパワーを有する２枚のレンズからなるアナモフィック群２ａを有している。
【００３０】
図２は本発明の実施例１の投射光学系の垂直断面（ｙｚ断面）を表し、図３は本発明の実施例１の投射光学系の水平断面（ｘｚ断面）を表す。図中、１は画像を表示する画像表示素子で、表示された画像はレンズ群２Ｃとアナモフィック群２ａからなる投射光学系２によりスクリーンＳに拡大投影されている。
【００３１】
図２、図３において、θｘ、θｙはそれぞれ水平、垂直方向のレンズ群２Ｃのみによる投影光線の角度を表している。θｘ’、θｙ’はそれぞれ水平、垂直方向のレンズ群２Ｃとアナモフィック群２ａより成る投影光学系２による投影光線の角度を表している。角度θｘと角度θｘ’との差、及び角度θｙと角度θｙ’との差はアナモフィック群２ａを用いたことによる光学的な効果を表している。
【００３２】
アナモフィック群２ａを用いることにより、図２では垂直方向の投影光線の角度が角度θｙより角度θｙ’へと圧縮されている。又、図３では水平方向の投影光線の角度が角度θｘより角度θｘ’へと拡大されている。
【００３３】
図２、図３に示す状態では投影画像は、画像表示素子１に表示されたアスペクト比よりも横長の（水平方向が長い）画像が投影されている。
【００３４】
図４、図５は図２、図３で示したアナモフィック群２ａを光軸ｏを中心に９０°回転したときの概略図である。図４では垂直方向の角度θｙが角度θｙ’’に拡大されている。図５では水平方向の角度θｘが角度θｘ’’に圧縮されている。
【００３５】
ここでアナモフィック群２ａは、レンズ群２Ｃの結像倍率を一方向である縦方向（垂直方向、ｙ方向）はα倍し、それと直交する他方向である横方向(水平方向、ｘ方向)は１／α倍する光学作用をもつ。ここで倍率αは１．１８９である。
【００３６】
実施例１で用いている画像表示素子１のアスペクト比は、１．８８６：１のものを用いている。
【００３７】
図７は、アナモフィック群２ａを用いないで、画像表示素子１をレンズ群２ＣのみでスクリーンＳ上に投射したときの投影画像Ｐａのイメージを示している。図７において投影画像Ｐａの縦横寸法Ａｙ、Ａｚの比は、
Ａｘ：Ａｙ＝１．８８６：１
である。
【００３８】
図８は、アナモフィック群を用いた投射光学系２により画像表示素子１をスクリーン上に投影したときの投影画像Ｐａ１の説明図である。
【００３９】
アナモフィック群２ａを図４、図５の如く用いた投射光学系２に相当している。
【００４０】
スクリーンＳ上の投影画像Ｐａ１の縦横寸法Ａｙ’’、Ａｘ’’は、
横方向    Ａｘ’’＝１．８８６／１．１８９＝１．５８６２
縦方向    Ａｙ’’＝１＊１．１８９＝１．１８９
となる。この比率で画像表示素子１はスクリーンＳ上に投影される。これにより投影画像Ｐａ１の縦横比は、
横：縦＝Ａｘ’’：Ａｙ’’＝１．５８６２：１．１８９＝４：３
となる。
【００４１】
図８において点線は図６のアスペクト比に基づく投影画像Ｐａを表している。
【００４２】
図４、図５の状態より、アナモフィック群２ａを光軸Ｏを回転軸として９０度回転させて図２、図３の如くにするとアナモフィック群２ａは、レンズ群２Ｃの結像倍率を縦方向（ｙ方向）は１／α倍し、横方向（ｘ方向）はα倍する。
【００４３】
図９は、このとき投影画像Ｐａ２の説明図である。図９において投影画像Ｐａ２の縦横寸法Ａｙ’、Ａｘ’は、
横方向    Ａｘ’＝１．８８６＊１．１８９＝２．２４２５
縦方向    Ａｙ’＝１／１．１８９＝０．８４１０
のとなる。この比率で画像表示素子１は、スクリーンＳ上に投影される。これにより投射画像Ｐａ２の縦横比は
横：縦＝Ａｘ’：Ａｙ’＝２．２４２５：０．８４１０＝８：３
となる。図９において点線は図６のアスペクト比に基づく投影画像Ｐａをを表わしている。
【００４４】
このときの横方向の長さＬＸと縦方向の長さＬＹとの比ＡＳＲは
ＡＳＲ＝ＬＸ／ＬＹ＝２．６７
である。  
【００４５】
本実施例では、
２≦ＡＳＲ
となるようにしている。尚、このＡＳＲは、４未満であることが望ましい。
【００４６】
これによって異なった２つの画像情報を同時に効率良く、投射できるようにしている。
【００４７】
図６は図１の一部分を抽出したときの概略図である。
【００４８】
図６は実施例１において画像表示素子１に表示する画像を制御する方法の説明図である。図６において、制御手段５は、信号処理手段４に入力される映像入力（ＩＮＰＵＴ１、ＩＮＰＵＴ２）を入力手段７からの信号に基づいて選択して、画像表示素子１を駆動するドライバー回路８に信号（例えばＩＮＰＵＴ１）を伝える。ドライバー回路８は、選択した信号（例えばＩＮＰＵＴ１）に基づいて映像を画像表示素子１に表示している。
【００４９】
いま、入力手段７によって、横縦比１．８８６：１の画像情報Ｉｎｐｕｔ１又は画像情報Ｉｎｐｕｔ２をスクリーン上に横縦比４：３で投射する。信号Ａ又は信号Ｂが入力されたとする。このとき制御手段５は、アナモフィック群２ａを投射画像Ｐａが水平方向に圧縮して投射される情報（図４、図５の状態）となるように駆動手段３を駆動制御する。駆動手段３は制御手段５からの信号に基づいてアナモフィック群２ａを図４、図５の状態となるように駆動する。
【００５０】
一方、信号処理手段４は、制御手段５からの信号に基づいて画像表示素子１に表示する横縦比１．８８６：１の画像情報（Ｉｎｐｕｔ１かＩｎｐｕｔ２）を処理し、ドライバー８に画像情報処理信号を入力する。ドライバー８は、画像表示素子１に信号処理手段４からの信号に基づいて画像情報を表示する。
【００５１】
これによって横縦比１．８８６：１の画像表示素子１に表示された画像情報を投射光学系２によってスクリーンＳ上に横縦比（アスペクト比）４：３の画像を投射している。
【００５２】
次に入力手段７によって、スクリーンＳ上の左半分に画像情報Ｉｎｐｕｔ１を投射し、右半分に画像情報Ｉｎｐｕｔ１とは全く異なる画像情報Ｉｎｐｕｔ２を同時に投射する信号Ｃが入力されたとする。
【００５３】
このときの制御手段５は、アナモフィック群２ａを投射画像Ｐａが水平方向に伸張して投影される状態（図２、図３の状態）となるように駆動手段３を駆動制御する。
【００５４】
駆動手段３は制御手段５からの信号に基づいてアナモフィック群２ａを図２、図３の状態となるように駆動する。
【００５５】
又、制御手段５は、入力手段７から信号Ｃの入力があったときは、画像表示素子１の画像表示面(横：縦＝１．８８６：１の画像表示面)を水平方向に２つの領域に分割する。このとき一つの画像表示素子１の画像表示面のアスペクト比は、
横：縦＝０．９４３：１
となる。
【００５６】
信号処理手段４は、例えば横縦比＝４：３の画像情報Ｉｎｐｕｔ１を画像表示素子１の半分(横縦比１．８８６／２：１＝０．９４３：１)となるように圧縮して、画像表示素子１の有効面の左半分に表示する（図７の領域ＰａＬ）。
【００５７】
同様に、横縦比４：３の他の画像情報Ｉｎｐｕｔ２を０．９４３：１に圧縮して画像表示素子１の有効面の右半分に表示する(図７の領域ＰａＲ)。そうすると投射光学系２によって領域ＰａＬ、ＰａＲは、水平方向に、
０．９４３×１．１８９＝１．１２１
垂直方向に、
１×（１／１．１８９）＝０．８４１
となる。この結果、スクリーンＳに投射される画像情報の横縦比は、
１．１２１：０．８４１＝４：３
となる。
【００５８】
このように、信号処理手段４は、２つの映像信号（例えばＩＮＰＵＴ１とＩＮＰＵＴ２）を１つの映像信号に合成した後、ドライバー回路８に伝達する。
【００５９】
この結果、画像表示素子１には、第１の入力信号Ｉｎｐｕｔ１に基づく画像情報Ｒが左半分に表示され、第２の入力信号が同時に右半分に表示される。
【００６０】
そしてスクリーン上に投影される１つの投影画像Ｐａ３は、
水平方向の長さ    ＡＸ’＝１．１２１×２＝２．２４２
垂直方向の長さ    ＡＹ’＝０．８４１    ＝０．８４１
２．２４２：０．８４１＝８：３
これにより画像投射装置は４：３の画像を２画面並べて表示(投影)することができる。
【００６１】
ここで画像表示素子１の画素数を２０４８×１５３６とすれば、４：３の１画面表示時には解像度ＱＸＧＡの高精細画像の表示と、４：３の解像度ＸＧＡの２画面の表示が可能となる。ＸＧＡを２画面表示するときには縦方向の画素数が倍あるので２ラインを１つのラインとして制御すればよい。
【００６２】
尚、本実施例においては、次のように画像を表示しても良い。信号処理手段４は、画像情報発生手段６から入力される画像信号がどのような信号であるかを判断にして、その旨の信号を制御信号５に入力する。制御信号５は、信号処理手段４からの信号を駆動手段３に入力する。駆動手段３は、制御手段５からの信号に基づいてアナモフィック光学素子２ａの位置を切り替る。これによって、自動的に例えば複数の画像を表示するようにしても良い。
【００６３】
表示モードは観察者が画像素子手段１に表示する画像情報を入力するための入力手段７又は画像情報発生手段６から入力される信号に基づいて信号処理手段４が支配する。
【実施例２】
【００６４】
実施例２では、実施例１の投射光学系と同じ構成である。実施例２では画像表示素子１での画素数を１４００×１０５０としている。これによってアスペクト比４：３の１画面の表示時にはＳＸＧＡ＋の高精細画像の表示と４：３の７００×１０５０の２画面の表示が可能となる。アスペクト比４：３の画像を２画面で表示するときには、横方向は１０２４のデータを圧縮し、縦方向のデータを伸張することによりＸＧＡの画像を２画面表示することができる。
【実施例３】
【００６５】
実施例３の投射光学系の構成は、基本的に実施例１と同じである。
【００６６】
実施例３の投射光学系２は、主たるパワーを有する軸対称レンズからなるレンズ群２Ｃと、直交する２つの方向で異なるパワーを有する複数のレンズからなるアナモフィック群２ａからなっている。
【００６７】
ここでアナモフィック群２ａは、レンズ群２Ｃの結像倍率を縦方向はβ倍し、横方向は１／β倍する光学作用をもつ。ここで倍率βは１．０８９である。
【００６８】
実施例３では、図１０に示すように画像表示素子１のアスペクト比が２．２４９：１である。
【００６９】
図１０はアナモフィック群２ａを用いないで、画像表示素子１をレンズ群Ｌのみでスクリーン上に投射したときの投影画像Ｐａのイメージを示している。図１０において投影画像Ｐａの縦横寸法Ｂｙ、Ｂｘの比は、
Ｂｘ：Ｂｙ＝２．２４９：１
である。
【００７０】
図１１は、アナモフィック群２ａを用いた投射光学系２によって、画像表示素子１をスクリーンＳ上に投影したときの投影画像Ｐｂ１の説明図である。アナモフィック群２ａを、図４、図５の如く水平方向に圧縮するように用いた場合に相当している。
【００７１】
スクリーンＳ上の投影画像Ｐｂ１の縦横寸法Ｂｙ’’、Ｂｘ’’は、
横方向    Ｂｘ’’＝２．２４９／１．０８９＝２．０６５２
縦方向    Ｂｙ’’＝１＊１．０８９＝１．０８９
となる。画像表示素子は、この比率でスクリーンＳ上に投影される。これにより投影画像の縦横比は、
横：縦＝Ｂｘ’’：Ｂｙ’’＝２．０６５２：１．０８９＝１７．０７：９
となり、投射画像Ｐｂ１のアスペクト比は１７．０７：９となる。図中点線は図１０のアスペクト比に基づく投影画像Ｐａを表わしている。
【００７２】
図４、図５の状態からアナモフィック群２ａを光軸Ｏを回転軸として９０度回転させて、図２、図３のようにするとアナモフィック群２ａは、レンズ群２ｃの結像倍率を縦方向は１／β倍し、横方向はβ倍する。
【００７３】
図１２はこのときの投影画像Ｐｂ２の説明図である。
【００７４】
図１２において投影画像Ｐｂ２の縦横比Ｂｙ’、Ｂｘ’は、
横方向    Ｂｘ’＝２．２４９＊１．０８９＝２．４４９１
縦方向    Ｂｙ’＝１／１．０８９＝０．９１８３
となる。画像表示素子１はこの比率でスクリーンＳ上に投影される。これにより投影画像Ｐｂ２の縦横比は
横：縦＝Ｂｘ’：Ｂｙ’＝２．４４９１：０．９１８３＝８：３
となり、投射画像Ｐｂ２は８：３となる。図中点線は図１０のアスペクト比に基づく投影画像Ｐａを表わしている。
【００７５】
このとき画像表示素子１に表示する画像を制御する信号処理手段４は制御手段５からの信号に基づいて、第１の入力信号Ｉｎｐｕｔ１を画像表示素子の左半分に表示し、第２の入力信号Ｉｎｐｕｔ２を同時に画像表示素子１の右半分に圧縮表示するように制御する。これにより画像投射装置は４：３の画像をスクリーンＳ上に２画面表示することができる。
【００７６】
ここで画像表示素子１の画素数を２０４８×１０８０とする。そうするとアスペクト比１７．０７：９の１画面の表示時には左右６４画素（計１２８画素）を非表示とすれば、ＨＤの高精細画像の表示と４：３のＸＧＡの２画面の表示が可能となる。
【００７７】
ＸＧＡを２画面表示するときには縦方向の画素数が余分にあるのでデータを補間して表示するように制御すればよい。
【００７８】
このように画像表示素子１のアスペクト比を４：３よりも横長にすると、アナモフィック系の倍率が小さい状態でも２画面の投影ができる。
【００７９】
ここでアナモフィック群２ａは、対称軸をもたない自由曲面からなる屈折レンズを有するようにして構成してもよく、または回折素子を有するように構成してもよい。
【図面の簡単な説明】
【００８０】
【図１】本発明の実施例１の要部ブロック図
【図２】図１の投射光学系の垂直断面図
【図３】図１の投射光学系の水平断面図
【図４】図１の投射光学系の垂直断面図
【図５】図１の投射光学系の水平断面図
【図６】図１の一部分の拡大説明図
【図７】図１の画像表示素子の説明図
【図８】図１の画像表示素子と投射画像の説明図
【図９】図１の画像表示素子と投射画像の説明図
【図１０】本発明の実施例３に係る画像表示素子の説明図
【図１１】本発明の実施例３に係る画像表示素子と投射画像の説明図
【図１２】本発明の実施例３に係る画像表示素子と投射画像の説明図
【符号の説明】
【００８１】
１        画像表示素子
２        投射光学系
２ａ      アナモフィック群
２ｂ      光軸
２ｃ      レンズ部
３        駆動手段
４        信号処理手段
５        制御手段
６        画像情報発生手段
７        入力手段
８        ドライバー
Ｓ        スクリーン
【図１】
2008046291.tif 000003
【図２】
2008046291.tif 000004
【図３】
2008046291.tif 000005
【図４】
2008046291.tif 000006
【図５】
2008046291.tif 000007
【図６】
2008046291.tif 000008
【図７】
2008046291.tif 000009
【図８】
2008046291.tif 000010
【図９】
2008046291.tif 000011
【図１０】
2008046291.tif 000012
【図１１】
2008046291.tif 000013
【図１２】
2008046291.tif 000014